(57)【特許請求の範囲】
【請求項１】
利用者の陰茎に常に装着する装着部と尿をためる蓄尿部とからなり、前記装着部と前記蓄尿部とが着脱可能であって、
前記装着部が、
半円状の第１の基台と半円状の第２の基台とによる反割構造であり、
前記第１の基台の一端と前記第２の基台の一端とを回動可能に固定するリングと、
前記第１の基台と前記第２の基台とを閉じて円環状にしたときに、前記第１の基台の他端と前記第２の基台の他端とを固定する留め具と、
前記リングに取り付けられる錘と、
を有し、
前記第１の基台と前記第２の基台とを閉じて円環状にしたときに前記第１の基台の一端と前記第２の基台の一端との間に利用者の皮膚に触れない間隙部を、該装着部の内面に設け、
該装着部を陰茎に装着したときに、前記錘によって前記第１の基台の一端および前記第２の基台の一端の側が下側にくるようにし、前記間隙部によって尿道を圧迫しないようにした
ことを特徴とする排尿補助具。
【請求項２】
陰茎の幹の外周を覆う前記装着部の内面が該陰茎の幹の外周とほぼ同じ大きさであり、該装着部が該陰茎の亀頭のカリ首に止まって抜け落ちないようにしたことを特徴とする請求項１に記載の排尿補助具。
【請求項３】
前記装着部の内面の利用者の皮膚と接触する部分をコルクで形成したことを特徴とする請求項１に記載の排尿補助具。
【請求項４】
前記装着部がストラップを有することを特徴とする請求項１に記載の排尿補助具。
【請求項５】
前記ストラップが、利用者のベルトに取り付けるフックを有するものであることを特徴とする請求項４に記載の排尿補助具。
【発明の詳細な説明】
【技術分野】
【０００１】
本発明は排尿補助具に関し、詳しくはトイレに行けない場合にも手軽に漏らすことなく排尿することができる排尿補助具に関する。
【背景技術】
【０００２】
従来、寝たきりの場合や渋滞中の車中にいる場合、または長距離輸送のトラック等の運転手などの場合で、トイレに行けない状況で用いるための排尿補助具が知られている（たとえば特許文献１参照）。
【０００３】
この従来の排尿補助具では、排尿時に排尿補助具を手で支えて用いるものであった。
【０００４】
【特許文献１】特開２００７−１１７６９０号公報
【発明の開示】
【発明が解決しようとする課題】
【０００５】
特許文献１に記載のような従来の排尿補助具では、排尿時に排尿補助具を手で支える必要があり、たとえば運転中などでハンドルから手が離せない場合には用いることができないという問題があった。
【０００６】
また、寝たきりの人の排尿時に用いる場合にも、本人または介護人が常時手を添えていなければならず、不便であるという問題があった。
【０００７】
本発明は上記の点にかんがみてなされたもので、トイレに行けない場合に、手を放した状態でも容易に漏らすことなく排尿することができる排尿補助具を提供することを目的とする。
【課題を解決するための手段】
【０００８】
本発明は、排尿補助具であって、利用者の陰茎に常に装着する装着部と尿をためる蓄尿部とからなり、前記装着部と前記蓄尿部とが着脱可能であって、前記装着部が、半円状の第１の基台と半円状の第２の基台とによる反割構造であり、前記第１の基台の一端と前記第２の基台の一端とを回動可能に固定するリングと、前記第１の基台と前記第２の基台とを閉じて円環状にしたときに、前記第１の基台の他端と前記第２の基台の他端とを固定する留め具と、前記リングに取り付けられる錘と、を有し、前記第１の基台と前記第２の基台とを閉じて円環状にしたときに前記第１の基台の一端と前記第２の基台の一端との間に利用者の皮膚に触れない間隙部を、該装着部の内面に設け、該装着部を陰茎に装着したときに、前記錘によって前記第１の基台の一端および前記第２の基台の一端の側が下側にくるようにし、前記間隙部によって尿道を圧迫しないようにしたことを特徴とする。
【０００９】
また本発明は、請求項１に記載の排尿補助具であって、陰茎の幹の外周を覆う前記装着部の内面が該陰茎の幹の外周とほぼ同じ大きさであり、該装着部が該陰茎の亀頭のカリ首に止まって抜け落ちないようにしたことを特徴とする請求項１に記載の排尿補助具。
【００１０】
また本発明は、請求項１に記載の排尿補助具であって、前記装着部の内面の利用者の皮膚と接触する部分をコルクで形成したことを特徴とする。
【００１２】
また本発明は、請求項１に記載の排尿補助具であって、前記装着部がストラップを有することを特徴とする。
【００１３】
また本発明は、請求項４に記載の排尿補助具であって、前記ストラップが、利用者のベルトに取り付けるフックを有するものであることを特徴とする。
【発明の効果】
【００２０】
本発明によれば、トイレに行けない場合に、手を放した状態でも容易に漏らすことなく排尿することができる排尿補助具を提供することができる。
【００２１】
すなわち、本発明によれば、装着部を陰茎に装着、固定することができ、また、ワンタッチで蓄尿部を取り付けることができるので、尿意をもよおしたときにすばやく使用でき、手を放した状態でも装着部が安定し、容易に漏らすことなく排尿することができる。
【００２２】
また、本発明によれば、いつでも容易に排尿可能であるため、熱中症などの対策として十分に水分を取ることが可能である。また、寝たきりの人の介護や失禁の対策などにも応用することができる。
【発明を実施するための最良の形態】
【００２３】
以下、本発明の実施の形態について図面を参照して詳細に説明する。
【００２４】
図１は、本発明の一実施の形態による排尿補助具を示す斜視図である。
【００２５】
本実施の形態の排尿補助具１は利用者の陰茎に装着する装着部２と尿をためる蓄尿部３とからなり、装着部２と蓄尿部３とは着脱可能である。
【００２６】
装着部２は、半円状で向き合わされて設けられた基台２１および２２と、基台２１および２２の前面に設けられて蓄尿部３が取り付けられる装着部側取付け部２３および２４と、基台２１および２２の内側に設けられて利用者の皮膚に接触する接触部２５および２６と、基台２１の一端と基台２２の一端とを固定する留め具２７と、基台２１の他端と基台２２の他端とを回動可能に固定するリング２８と、リング２８に取り付けられて装着部２全体の重さを調整する錘２９と、一端をリング２８に取り付けられて落下や紛失防止の役割を果たすストラップ３０とを有して構成される。ストラップ３０は、一端をリング２８に取り付けられる紐３０ａと、紐３０ａの他端が取り付けられて利用者のベルトなどに固定可能にされたフック３０ｂとからなる。
【００２７】
また、蓄尿部３は、装着部２が取り付けられる蓄尿部側取付け部３１と、尿を流すホース３２と、尿の流入口３３と、蓄尿ボトル３４と、蓄尿ボトル３４への尿流入時の蓄尿ボトル３４内の空気の逃げ道を確保する空気抜き穴３５と、蓄尿ボトル３４の蓋３７と、蓄尿ボトル３４が倒れないように保持するホルダー３６とを有して構成される。
【００２８】
利用者は、常に装着部２を陰茎に装着しておき、尿意をもよおしたときに、装着部２に蓄尿部３を取り付けて排尿する。利用者が装着部２を陰茎に装着した初めの頃は違和感を覚えるであろうが、慣れとともに違和感は消えていく。
【００２９】
本実施の形態では、装着部２の装着部側取付け部２３および２４は外側にネジが切ってあり、蓄尿部３の蓄尿部側取付け部３１の内側に切ってあるネジと嵌合して取り付け可能にされている。この構造は、一般に洗濯機の給水栓のジョイントと同様の構造でよく、装着部２やホース３２は回転させずに、蓄尿部側取付け部３１のみを回転させてネジを嵌め込むことができるようにされている。
【００３０】
図２は、図１に示した排尿補助具１の装着部２を示す正面図である。
【００３１】
また、図３は、図１に示した排尿補助具１の装着部２を、留め具２７を外して開いた状態で示す正面図である。
【００３２】
基台２１と装着部側取付け部２３と接触部２５とは固着されて一体化され、また基台２２と装着部側取付け部２４と接触部２６とは固着されて一体化されている。
【００３３】
基台２１および２２の材質としては、利用者が金属アレルギーである場合にも利用可能なように、たとえば歯科で用いられる入れ歯形成用樹脂などを用いるのが望ましい。しかしながら、これに限られるものではなく、皮膚に触れにくいこと、また、摺動部分の強度を考慮して金属製にしてもよい。基台２１および２２を金属で作成して錘２９の代わりとすることもできる。
【００３４】
装着部側取付け部２３および２４の材質も金属アレルギー対策のために樹脂製にしてもよいが、皮膚に触れにくいことを考慮し、外側に設けたネジが磨り減らないように金属製にしてもよい。
【００３５】
接触部２５および２６は、その円形の内側が直接に利用者の陰茎の皮膚に触れるため、やさしい触感の材質であることが望ましく、たとえばコルクによって形成される。コルクを用いれば、汗を吸収し、滑り止めの効果も得られる。また、コルクの柔らかさを利用して陰茎をきつく締め付けることもできる。
【００３６】
基台２１および２２の一端側には留め具２７が設けられ、他端側にはリング２８が設けられている。リング２８側では、基台２１と基台２２とは離れずに、回動のみが可能に構成されている。
【００３７】
リング２８の材質も金属アレルギー対策のために樹脂製にしてもよいが、皮膚に触れにくいことを考慮し、また、摺動部分の強度を考慮して金属製にしてもよい。
【００３８】
留め具２７は、支柱２７ａと、掛け輪２７ｂと、支柱２７ｃと、取っ手２７ｄとを有して構成されている。取っ手２７ｄは、支柱２７ｃの軸２７ｃ’によって支柱２７ｃに回動可能に固定され、掛け輪２７ｂもやはり回動可能に一端を取っ手２７ｄに固定されている。
【００３９】
この支柱２７ａ、掛け輪２７ｂ、支柱２７ｃ、取っ手２７ｄの材質も金属アレルギー対策のために樹脂製にしてもよいが、皮膚に触れにくいことを考慮し、また、摺動部分の強度を考慮して金属製にしてもよい。
【００４０】
装着部２を閉じるときには、この留め具２７によって基台２１および２２の一端側どうしを閉じて留める。この留め動作は、支柱２７ａに掛け輪２７ｂを掛けた上で、取っ手２７ｄを下ろすことによって行われる。なお、本実施の形態では、向かって右側に掛け輪２７ｂおよび取っ手２７ｄを設けて、掛け輪２７ｂを支柱２７ａに掛けて留めるようにしたが、本発明はこれに限られるものではなく、たとえば、利用者が右利きか左利きかなどによって、利用者が操作しやすいようにすればよく、反対にして向かって左側に掛け輪２７ｂおよび取っ手２７ｄを設けて、掛け輪２７ｂを支柱２７ｃに掛けて留めるようにしてもよい。
【００４１】
また、リング２８には、装着部２の重量がその利用者にとって適切になるように（陰茎の大きさ等を考慮して）錘２９が吊り下げられる。錘２９の材質も状況に応じて、金属、樹脂、金属を樹脂で覆ったものなどが用いられる。
【００４２】
利用者は装着部２を常に陰茎に装着しており、本実施の形態によれば、錘２９を含めた装着部２の重量によって陰茎を拡大、伸長させる効果もある。錘２９は必要に応じて着脱可能であり、その利用者に向いた重量にすればよい。たとえば日本人の最適負荷は１５０ｇ〜２００ｇ程度である。また、排尿補助具１としては、錘２９を備えなくてもよい。
【００４３】
陰茎を拡大、伸長させる効果としては、運動時たとえばジョギングやハードなテニスなどで、負荷１００ｇを装着することによって、より大きな効果が得られる。
【００４４】
リング２８には、紐３０ａの一端が接続され、紐３０ａの他端にはフック３０ｂが接続されている。紐３０ａは伸縮性のあるものでもよいし、らせん状に巻いて伸縮性を出してもよいが、利用者の好みに応じて伸縮性のないものを用いることもできる。フック３０ｂを利用者のベルトなどに取り付けておくことによって、装着部２が陰茎から外れてしまったとしてもフック３０ｂは利用者のベルトなどにつながったままであるため、装着部２の落下、紛失等を防止することができる。
【００４５】
次に、利用者が装着部２を装着する様子について説明する。
【００４６】
図４は、図１に示した排尿補助具１の装着部２を利用者が装着した状態を示す側面図である。
【００４７】
利用者は、留め具２７を外して図３に示したような装着部２を開いた状態にし、接触部２５と接触部２６との間に陰茎１００を挿入し、留め具２７を留める。
【００４８】
陰茎１００は根元側の幹１０２および先端の亀頭１０１を有する。装着部２は、陰茎１００の幹１０２の先端側で亀頭１０１の手前に装着する。
【００４９】
図４に示すように接触部２５および２６の内径は、亀頭１０１側で間隔Ｃであり、根元側で間隔Ｄとなり、幹１０２の形状にフィットするよう、Ｃ＜Ｄで構成されている。また、接触部２５および２６の内面と陰茎１００の幹１０２とは面接触するようにほぼ同じ大きさで形成されている。また、接触部２５および２６の先端部の内径の間隔Ｃが小さいために、亀頭１０１のカリ首に止まり、装着部２が陰茎１００から抜け落ちないように構成されている。
【００５０】
また、図２を参照してわかるように、接触部２５および２６との間は、装着部２が閉じた状態であっても、下側で間隔Ａだけ開き、上側で間隔Ｂだけ開いている。この間隔によって、利用者が装着部２を装着する際に皮膚を挟み込んでしまうことを防げるし、下側の間隔Ａによれば、尿道を圧迫することなく、自然に排尿することができるようにしている。
【００５１】
図５は、図１に示した排尿補助具１の装着部２を利用者が装着し、フック３０ｂをベルト１１０に取り付けた状態を示す正面図である。
【００５２】
このように、フック３０ｂをベルト１１０に取り付けておくことによって、装着部２が陰茎１００から外れてしまったとしてもフック３０ｂは利用者のベルト１１０につながったままであるため、装着部２の落下、紛失等を防止することができる。
【００５３】
次に、蓄尿部３の構造について説明する。
【００５４】
図６は、図１に示した排尿補助具１の蓄尿部３の蓄尿ボトル３４の周囲を示す側断面図である。
【００５５】
蓄尿に用いられる蓄尿ボトル３４はホルダー３６に差し込まれて固定される。ホルダー３６は、滑らずに安定することが望ましく、たとえばある程度重量があるゴム製のものを用いるのが望ましい。
【００５６】
利用者による尿はホース３２および流入口３３を介して蓄尿ボトル３４内に流入し、このとき蓄尿ボトル３４内の空気の逃げ道として、空気抜き穴３５が設けられている。
【００５７】
蓄尿ボトル３４の容量は３００ｍＬ（ミリリットル）程度あればよく、また、必要に応じてスペアタンクを携帯するようにすればよい。
【００５８】
図７は、図１に示した排尿補助具１を利用する状態を示す斜視図である。
【００５９】
利用者は、図４に示した状態から、装着部２の装着部側取付け部２３および２４に蓄尿部３の蓄尿部側取付け部３１を嵌め込んで固定し、図７に示す状態にして排尿を行う。
【００６０】
車両運転中に用いる場合には、ホルダー３６を運転席の座席と足の間に置くようにすればよい。
【００６１】
次に、本発明による、さらに別の実施の形態について説明する。
【００６２】
図８は、本発明の、図１とは別の実施の形態による排尿補助具の装着部と蓄尿部との接続部分を示す側断面図であり、（ａ）は装着部と蓄尿部とを分離した状態を示す側断面図であり、（ｂ）は装着部と蓄尿部とを結合した状態を示す側断面図である。
【００６３】
図１の実施の形態では、装着部２の装着部側取付け部２３および２４と、蓄尿部３の蓄尿部側取付け部３１とをねじ嵌合して取り付けるようにしたが、本発明はこれに限られるものではなく、図８に示すように弾力性のある爪２２３の爪先２２３ａを、受け部２３１ａに嵌合させることによって、装着部２０２に蓄尿部２０３を取り付けるようにしてもよい。
【００６４】
なお、図８において、装着部２０２は、基台２２１と、基台２２１の前面に設けられて蓄尿部２０３が取り付けられる爪２２３と、基台２１の内側に設けられて利用者の皮膚に接触する接触部２２５と、基台２２１の一端ともう一方の基台（図示せず）の一端とを固定する留め具２２７、基台２２１の他端ともう一方の基台（図示せず）の他端とを回動可能に固定するリング２２８とを有する。弾力性のある爪２２３の先端には爪先２２３ａが設けられている。
【００６５】
また、蓄尿部２０３は、装着部２０２が取り付けられる蓄尿部側取付け部２３１と、蓄尿部側取付け部２３１の先端に設けられ装着部２０２の爪先２２３ａが嵌め込まれる受け部２３１ａと、尿を流すホース２３２とを有して構成される。
【００６６】
本実施の形態は、装着部２０２と蓄尿部２０３との結合部分以外は、図１に示した実施の形態と同様の構成である。
【００６７】
なお、装着部と蓄尿部との結合は、図８（ａ）、図８（ｂ）に示したような爪先２２３ａおよび受け部２３１ａによるものに限らず、両者の接触部分にボールベアリングを設けて滑らかな結合を実現してもよいし、装着部と蓄尿部とを押し込むだけで結合できるようなワンタッチ式のものであることが望ましい。
【００６８】
装着部と蓄尿部とを取り外す際には、爪先２２３ａを内側に押し込んで、受け部２３１ａとの引っ掛かりをはずすようにしてやればよい。
【００６９】
次に、本発明による、さらに別の実施の形態について説明する。
【００７０】
図９は、本発明の、図１および図８とは別の実施の形態による排尿補助具を示す斜視図である。
【００７１】
本実施の形態の排尿補助具１００１は、利用者の陰茎に装着する装着部と尿をためる蓄尿部とがあらかじめ一体となった構造である。
【００７２】
排尿補助具１００１は、半円状で向き合わされて設けられた基台１０２１および１０２２と、基台２１および２２の前面に設けられて排尿が漏れないようにする覆いであるカバー１０２３および１０２４と、基台１０２１および１０２２の内側に設けられて利用者の皮膚に接触する接触部（前述の接触部２５および２６と同様であるため図示は省略する）と、基台１０２１の一端と基台１０２２の一端とを固定する留め具１０２７と、基台２１の他端と基台２２の他端とを回動可能に固定するリング（前述のリング２８と同様であるため図示は省略する）と、カバー１０２３もしくは１０２４に取り付けられ尿を流すホース１０３２と、尿の流入口１０３３と、蓄尿ボトル１０３４と、蓄尿ボトル１０３４への尿流入時の蓄尿ボトル１０３４内の空気の逃げ道を確保する空気抜き穴１０３５と、蓄尿ボトル１０３４の蓋１０３７と、蓄尿ボトル１０３４が倒れないように保持するホルダー１０３６とを有して構成される。
【００７３】
カバー１０２３および１０２４の材質は防水性のあるものであれば特に問わない。また、他の構成は図１に示した実施の形態と同様であるので詳しい説明は省略する。
【００７４】
この実施の形態では、利用者は、用を足すときになって初めて基台１０２１および１０２２を陰茎に装着し、留め具１０２７で留め、排尿を行う。
【００７５】
図１０は、本発明の、図１、図８および図９とは別の実施の形態による排尿補助具を示す側面図である。
【００７６】
この実施の形態の排尿補助具は、図９に示した実施の形態とカバーの形状が異なることを特徴としており、他の部分は図９に示した実施の形態と同様である。
【００７７】
すなわち、本実施の形態では、留め具１３２７で一端を固定され、リング１３２８で回動可能にされ、内側に接触部１３２６を有する基台１３２２の前面に、排尿が漏れないようにする覆いであるカバー１３２４が設けられており、このカバー１３２４は下方が膨らんで溜まりを有する形状となっている。この溜まりの下方にはホース１３３２が設けられている。
【００７８】
この実施の形態のように溜まりを有する形状とすれば、亀頭１０１が排尿に触れることをなくすることができる。
【００７９】
図１１は、本発明の、図１、図８、図９および図１０とは別の実施の形態による陰茎拡大伸長装置を示す斜視図である。
【００８０】
前述のように、図１に示した装着部２は、利用者が陰茎に常に装着することによって陰茎の拡大、伸長の効果をもたらす。そこで、この実施の形態では、排尿補助具の装着部を陰茎拡大伸長装置として独立させて用いる。
【００８１】
陰茎拡大伸長装置２００２は、半円状で向き合わされて設けられた基台２０２１および２０２２と、基台２０２１および２０２２の内側に設けられて利用者の皮膚に接触する接触部２０２５および２０２６と、基台２０２１の一端と基台２０２２の一端とを固定する留め具２０２７と、基台２０２１の他端と基台２０２２の他端とを回動可能に固定するリング２０２８と、リング２０２８に取り付けられて陰茎拡大伸長装置２００２全体の重さを調整する錘２０２９と、一端をリング２０２８に取り付けられて落下や紛失防止の役割を果たすストラップ２０３０とを有して構成される。ストラップ２０３０は、一端をリング２０２８に取り付けられる紐２０３０ａと、紐２０３０ａの他端が取り付けられて利用者のベルトなどに固定可能にされたフック２０３０ｂとからなる。
【００８２】
本実施の形態の各構成は図１に示した装着部２とほぼ同様であるので詳しい説明は省略する。
【００８３】
リング２０２８には、陰茎拡大伸長装置２００２の重量がその利用者にとって適切になるように錘２０２９が吊り下げられる。
【００８４】
利用者は、トイレに行ける状態であるか否かにかかわらず、常に陰茎拡大伸長装置２００２を陰茎に取り付けておく。このようにすることによって陰茎に適度の負荷をかけ、陰茎の拡大、伸長の効果が期待できる。
【００８５】
錘２０２９は必要に応じて着脱可能であり、陰茎拡大伸長装置２００２全体の重量がその利用者に向いた重量にすればよい。たとえば日本人の最適負荷は１５０ｇ〜２００ｇ程度である。また、このような重量調節のため、場合によっては、錘２０２９を備えなくてもよい。
【００８６】
陰茎を拡大、伸長させる効果としては、運動時たとえばジョギングやハードなテニスなどで、負荷１００ｇを装着することによって、より大きな効果が得られる。
【００８７】
ここで、５６歳、６０歳、６０歳の３人の男性による臨床実験の結果を以下に述べる。
【００８８】
まず、錘２０２９を含めた陰茎拡大伸長装置２００２全体の重量を、陰茎が勃起状態の長さになるように調節して陰茎拡大伸長装置２００２を装着する。
【００８９】
その後、常時装着して装着開始から約１ヶ月で陰茎拡大伸長装置２００２を陰茎に装着している違和感が取れた。
【００９０】
また、装着開始から約６ヶ月〜１年で陰茎は陰茎拡大伸長装置２００２を外したとしても常に勃起状態の長さになった。
【００９１】
その後、現在では、装着開始から約１年〜２年で、陰茎をさらに３ｃｍ〜５ｃｍ長くするのを目標にして、臨床実験を継続中であり、順調な効果が得られている。
【００９２】
このような臨床実験の結果、陰茎拡大伸長装置２００２を用いれば、陰茎は細く長くなるのではなく、太く長くなり、その体積を増大させる効果を有することがわかった。
【００９３】
図１２は、本発明で用いられる錘の別の例を示す斜視図である。
【００９４】
この例の錘２１２９は爪２１２９ａと爪係止部２１２９ｂとを有し、爪２１２９ａには爪係止部２１２９ｂと接触する方向（図１２の矢印の反対方向）にバネ力が働き、爪２１２９ａと爪係止部２１２９ｂとが接触して閉じた輪を形成する。
【００９５】
たとえば図１１に示したリング２０２８で爪２１２９ａを矢印方向に押すことによって、輪を開き、輪の中にリング２０２８を入れて、リング２０２８に錘２１２９を取り付けることができる。
【００９６】
この例によれば、錘２１２９の着脱を容易に行うことができる。
【００９７】
なお、本発明は上述した実施の形態に限られるものではなく、また、各実施の形態の組合せも包含するものであることは言うまでもない。
【図面の簡単な説明】
【００９８】
【図１】本発明の一実施の形態による排尿補助具を示す斜視図である。
【図２】図１に示した排尿補助具１の装着部２を示す正面図である。
【図３】図１に示した排尿補助具１の装着部２を、留め具２７を外して開いた状態で示す正面図である。
【図４】図１に示した排尿補助具１の装着部２を利用者が装着した状態を示す側面図である。
【図５】図１に示した排尿補助具１の装着部２を利用者が装着し、フック３０ｂをベルト１１０に取り付けた状態を示す正面図である。
【図６】図１に示した排尿補助具１の蓄尿部３の蓄尿ボトル３４の周囲を示す側断面図である。
【図７】図１に示した排尿補助具１を利用する状態を示す斜視図である。
【図８】本発明の、図１とは別の実施の形態による排尿補助具の装着部と蓄尿部との接続部分を示す側断面図であり、（ａ）は装着部と蓄尿部とを分離した状態を示す側断面図であり、（ｂ）は装着部と蓄尿部とを結合した状態を示す側断面図である。
【図９】本発明の、図１とは別の実施の形態による排尿補助具を示す斜視図である。
【図１０】本発明の、図１、図８および図９とは別の実施の形態による排尿補助具を示す側面図である。
【図１１】本発明の、図１および図９とは別の実施の形態による陰茎拡大伸長装置を示す斜視図である。
【図１２】本発明で用いられる錘の別の例を示す斜視図である。
【符号の説明】
【００９９】
１  排尿補助具
２  装着部
３  蓄尿部
２１、２２  基台
２３、２４  装着部側取付け部
２５、２６  接触部
２７  留め具
２７ａ  支柱
２７ｂ  掛け輪
２７ｃ  支柱
２７ｄ  取っ手
２８  リング
２９  錘
３０  ストラップ
３０ａ  紐
３０ｂ  フック
３１  蓄尿部側取付け部
３２  ホース
３３  流入口
３４  蓄尿ボトル
３５  空気抜き穴
３６  ホルダー
３７  蓋
【要約】
【課題】トイレに行けない場合に、手を放した状態でも容易に漏らすことなく排尿することができる排尿補助具を提供することである。
【解決手段】排尿補助具１において、利用者の陰茎に常に装着する装着部２と尿をためる蓄尿部３とからなり、前記装着部２と前記蓄尿部３とが着脱可能であることを特徴とする。
【選択図】図１【図１】
0004162699.tif 000002
【図２】
0004162699.tif 000003
【図３】
0004162699.tif 000004
【図４】
0004162699.tif 000005
【図５】
0004162699.tif 000006
【図６】
0004162699.tif 000007
【図７】
0004162699.tif 000008
【図８】
0004162699.tif 000009
【図９】
0004162699.tif 000010
【図１０】
0004162699.tif 000011
【図１１】
0004162699.tif 000012
【図１２】
0004162699.tif 000013